(57)【要約】【課題】      使用しないときにフレ−ム体を小さく折り畳んで収納することができる背負い袋を提供すること。【解決手段】  フレ−ム体１とフレ−ム体１に取り付けた蓋体２と袋体３で構成され、フレ−ム体１は金属パイプで２本の前方フレ−ム４、５の夫々上下位置に夫々Ｕ字状に折り曲げられた上部フレ−ム６と底部フレ−ム７が、上部フレ−ム６と底部フレ−ム７の夫々両端に固定されたジョイント部８を介して回動保持ピン１０で上方に回動可能に保持され、上部フレ−ム６と底部フレ−ム７の両端に前方フレ−ム４、５に対して水平に当接した時に当たる当り部ａを有している。  前方フレ−ム４、５の夫々上下の回動保持ピン１０取付位置より下側に係止孔４ａ、４ｂ、５ａ、５ｂが穿設され、係止孔４ａ、４ｂ、５ａ、５ｂとジョイント部８の係止孔８ｃにストッパ部材９のピン９ａが差し込まれて上方への回動が阻止される。【選択図】        図６
2005052316.tif 000002
【特許請求の範囲】
【請求項１】
それぞれ上下に配された上部フレ−ムと底部フレ−ムおよび前記上部フレ−ムと前記底部フレ−ムを前方側で支持する前方フレ−ムを有するフレ−ム体の前記上部フレ−ムに上方に開口する袋体を取り付けると共に、前記上部フレ−ムと前記底部フレ−ムは前方フレ−ムに回動可能に支持され、前方フレ−ム側へ折り畳み可能であることを特徴とする背負い袋。
【請求項２】
上部フレ−ムと底部フレ−ムは、前方フレ−ムに対して略水平位置で前記前方フレ−ムに当接する当たり部を有していることを特徴とする請求項１記載の背負い袋。
【請求項３】
上部フレ−ムと底部フレ−ムが前方フレ−ムに対して略水平位置で回動しないようにするストッパ部材を有していることを特徴とする請求項１または２記載の背負い袋。
【請求項４】
上部フレ−ムと底部フレ−ムを後方側で支持する後方支柱部を有し、前記後方支柱部は、前記上部フレ−ムと前記底部フレ−ムに回動可能に取り付けられていることを特徴とする請求項１乃至３記載の背負い袋。
【発明の詳細な説明】
【技術分野】
【０００１】
本発明は、折り畳みができるように改良した背負い袋に関する。
【背景技術】
【０００２】
従来の背負い袋は、フレ−ム体とこのフレ−ム体に取り付けられた袋体からなり、袋体に重い荷物を収納しても袋体の周辺がフレ−ムで補強され、背負っている最中に荷崩れしないようになっている。
特許文献１では、上下の環状部とこの環状部を連結する上下方向の支柱が互いに固定されて骨組みが構成され、骨組みの枠内に内装して袋を取り付けていた。
この背負い袋は、使用しないときには、骨組みから袋体を取り外すことはできるが、フレ−ムが邪魔になって小さく折り畳んで収納することができなかった。
【０００３】
【特許文献１】実開昭５６−１２２３７８号
【発明の開示】
【発明が解決しようとする課題】
【０００４】
解決しようとする問題点は、使用しないときにフレ−ムを小さく折り畳んで収納することができないことである。
【０００５】
本発明の目的は前記欠点に鑑み、使用しないときにフレ−ム体を小さく折り畳んで収納することができる背負い袋を提供することである。
【課題を解決するための手段】
【０００６】
本発明の請求項１は、それぞれ上下に配された上部フレ−ムと底部フレ−ムおよび前記上部フレ−ムと前記底部フレ−ムを前方側で支持する前方フレ−ムを有するフレ−ム体の前記上部フレ−ムに上方に開口する袋体を取り付けると共に、前記上部フレ−ムと前記底部フレ−ムは前方フレ−ムに回動可能に支持され、前方フレ−ム側へ折り畳み可能であることを要旨とするものである。
本発明の請求項２は、上部フレ−ムと底部フレ−ムは、前方フレ−ムに対して略水平位置で前記前方フレ−ムに当接する当たり部を有していることを要旨とするものである。
本発明の請求項３は、上部フレ−ムと底部フレ−ムが前方フレ−ムに対して略水平位置で回動しないようにするストッパ部材を有していることを要旨とするものである。
本発明の請求項４は、上部フレ−ムと底部フレ−ムを後方側で支持する後方支柱部を有し、前記後方支柱部は、前記上部フレ−ムと前記底部フレ−ムに回動可能に取り付けられていることを要旨とするものである。
【発明の効果】
【０００７】
請求項１の本発明により、使用しないときにフレ−ム体１を小さく折り畳んで収納することができる。
請求項２の本発明により、上部フレ−ムと底部フレ−ムには前方フレ−ムに当接する当り部を有しているので、上部フレ−ムと底部フレ−ムが略水平状態に支持されて背負いやすい。
請求項３の本発明により、上部フレ−ムと底部フレ−ムは前方フレ−ムに対して係止孔とストッパ部材で回動が阻止されて水平が維持されるので背負いやすい。
請求項４の本発明により、上部フレ−ムと底部フレ−ムは後方支柱部で回動可能に連結されているので、上部フレ−ムと底部フレ−ムが略水平状態に開かれているときは両フレ−ムを支持してつぶれを防止と、両フレ−ムが折り畳まれるときは後方支柱部が一緒に回動し、袋体をつぶしながら背負い袋を折り畳むことができる。
【発明を実施するための最良の形態】
【０００８】
背負い袋は、フレ−ム体１とフレ−ム体１に取り付けた蓋体２と袋体３で構成され、フレ−ム体１は金属パイプで２本の前方フレ−ム４、５の夫々上下位置に夫々Ｕ字状に折り曲げられた上部フレ−ム６と底部フレ−ム７が、上部フレ−ム６と底部フレ−ム７の夫々両端に固定されたジョイント部８を介して回動保持ピン１０で上方に回動可能に保持され、上部フレ−ム６と底部フレ−ム７の両端に前方フレ−ム４、５に対して水平に当接した時に当たる当り部ａを有している。
前方フレ−ム４、５の夫々上下位置の回動保持ピン１０取付位置より下側に係止孔４ａ、４ｂ、５ａ、５ｂが穿設され、係止孔４ａ、４ｂ、５ａ、５ｂとジョイント部８の係止孔８ｃにストッパ部材９のピン９ａが差し込まれて上方への回動が阻止される。
【実施例１】
【０００９】
以下、図示の実施例によって本発明を説明すると、図１は背負い袋の蓋を開けた斜視図、図２は背負い袋のフレ−ム体の斜視図と一部拡大斜視図、図３は背負い袋のフレ−ム体と蓋体の断面側面図、図４は背負い袋の前側（背負い側）の正面図、図５は背負い袋のフレ−ム体を折り畳んだ側面図、図６は背負い袋を折り畳んだ断面側面図である。
【００１０】
背負い袋は、フレ−ム体１とフレ−ム体１に取り付けた蓋体２と袋体３で構成されている。
フレ−ム体１は金属パイプで２本の前方フレ−ム４、５の夫々上下位置に夫々Ｕ字状に折り曲げられた上部フレ−ム６と底部フレ−ム７が、上部フレ−ム６と底部フレ−ム７の夫々両端に固定されたジョイント部８を介して回動保持ピン１０で上方に回動可能に保持されている。
ジョイント部８は夫々Ｕ字状に折り曲げられた上部フレ−ム６と底部フレ−ム７の両端に固定ピン１１、１１で固定されている。
前方フレ−ム４、５の夫々上下位置の回動保持ピン１０取付位置より下側にストッパ部材９のピン９ａを挿入する係止孔４ａ、４ｂ、５ａ、５ｂが穿設されている。
上部フレ−ム６と底部フレ−ム７が前方フレ−ム４、５に対して水平に保持された時、前方フレ−ム４、５の表面に当接する上部フレ−ム６と底部フレ−ム７の両端を当り部ａとする。
【００１１】
前方フレ−ム４、５の間の上下には横架杆１２、１３が取り付けられて前方フレ−ム４、５が並行に間隔が保持されている。
蓋体２は合成樹脂材で形成されてフレ−ム体１の横架杆１２に複数の取付ベルト１４で取り付けられ、この取付ベルト１４が柔軟性を有しヒンジとなって折り曲がり蓋体２が開閉自在となる。
袋体３は、柔軟性を有する合成樹脂シ−トで形成されて内側の底部に二つ折り可能な補強板１５が挿入されている。
袋体３の開口周縁には複数の取付ベルト１６と図示しない止め具ベルトが固定されて取付ベルト１６と止め具で上部フレ−ム６に取り付けられている。
ジョイント部８は前方フレ−ム４、５を夫々両側から挟み込む挾持部８ａと挾持部８ａに直角方向に延びた夫々上部フレ−ム６と底部フレ−ム７を固定保持する保持部８ｂで側面から見てＬ字形に形成されている。
挾持部８ａには回動保持ピン１０を挿入する透孔とストッパ部材９のピン９ａを挿入する係止孔８ｃが穿設されている。
【００１２】
上部フレ−ム６と底部フレ−ム７には夫々筒環１７、１８が回動可能に嵌合されており、この上下の筒環１７、１８に縦方向の後方支柱部１９の上下両端が固定されている。
後方支柱部１９は１本でも２本でもよい。
底部フレ−ム７の前後の中間には左右を結ぶ横架杆２０の両端が固定されている。
底部フレ−ム７の下側左右には脚２１が固定されている。
ストッパ部材９はピン９ａから成っており、摘み部９ｂを有し、摘み部９ｂに紐２２が取り付けられて紐２２の他端は横架杆１２や横架杆１３に取り付けられている。
前方フレ−ム４、５と横架杆１２、１３には背当て２３が取り付けられると共に、横架杆１２、１３にショルダ−ベルト２４の両端が取り付けられている。
前方フレ−ム４、５には夫々フレ−ム体１を折り畳んだ時に係止する係止ベルト２５が取り付けられている。
係止ベルト２５には例えば表裏にベルベット式面ファスナ２６、２７が固定されている。
【００１３】
背負い袋が使用される時は、フレ−ム体１の前方フレ−ム４、５に対して上部フレ−ム６と底部フレ−ム７が略水平に回動されて前方フレ−ム４、５の表面に上部フレ−ム６と底部フレ−ム７の両端の当り部ａが当接され、それ以上回動されないようにして、上部フレ−ム６と底部フレ−ム７の重さで略水平状態に支持されてジョイント部８の係止孔８ｃと前方フレ−ム４、５の係止孔４ａ、４ｂ、５ａ、５ｂにストッパ部材９のピン９ａが差し込まれて前方フレ−ム４、５に対する上部フレ−ム６と底部フレ−ム７の上下両方の回動が阻止される。
背負い袋が保管される時は、ストッパ部材９のピン９ａが抜かれ、袋体３を取り付けたまま前方フレ−ム４、５に対して上部フレ−ム６と底部フレ−ム７が回動保持ピン１０を中心に上方に回動されて前方フレ−ム４、５に沿った状態で折り畳まれ、この時、後方支柱部１９に押圧されて袋体３も同時に折り畳まれる。
折り畳んだ後は係止ベルト２５で前方フレ−ム４、５と底部フレ−ム７が束ねられて係止される。
【００１４】
また、上部フレ−ム６と底部フレ−ム７には後方支柱部１９で回動可能に連結されているので、上部フレ−ム６と底部フレ−ム７が略水平状態に開かれているときは両フレ−ム６、７を支持し、両フレ−ム６、７が折り畳まれるときは一緒に回動し、折り畳みの回動を邪魔しない。
さらに、前方フレ−ム４、５の上下にはこれを横方向に支持する横架杆１２、１３が設けられてこの横架杆１２、１３に背負い袋を背負うためのショルダ−ベルト２４が設けられている。
また、上部フレ−ム６および袋体３の上部を覆うように開閉自在に蓋体２が設けられている。
背負い袋が折り畳まれると蓋体２の内側に上部フレ−ム６が収納されるように成っている。
【００１５】
前記のように背負い袋が構成されると、使用しないときにフレ−ム体１を小さく折り畳んで収納することができる。
上部フレ−ム６と底部フレ−ム７には前方フレ−ム４、５に当接する当り部ａを有しているので、上部フレ−ム６と底部フレ−ム７がガタ付かず、背負いやすい。
上部フレ−ム６と底部フレ−ム７は前方フレ−ム４、５に対して係止孔４ａ、４ｂ、５ａ、５ｂ、８ｃとストッパ部材９のピン９ａで回動が阻止されて水平が維持されるので背負いやすい。
上部フレ−ム６と底部フレ−ム７は後方支柱部１９で回動可能に連結されているので、上部フレ−ム６と底部フレ−ム７が略水平状態に開かれているときは両フレ−ム６、７を支持し、両フレ−ム６、７が折り畳まれるときは一緒に回動し、折り畳みの回動を邪魔しない。
【産業上の利用可能性】
【００１６】
この背負い袋は魚釣りや登山等の野外活動やスポ−ツの道具入れとして使用できる。
【図面の簡単な説明】
【００１７】
【図１】背負い袋の蓋を開けた斜視図である。
【図２】背負い袋のフレ−ム体の斜視図と一部拡大斜視図である。
【図３】背負い袋のフレ−ム体と蓋体の断面側面図である。
【図４】背負い袋の前側（背負い側）の正面図である。
【図５】背負い袋のフレ−ム体を折り畳んだ側面図である。
【図６】背負い袋を折り畳んだ断面側面図である。
【符号の説明】
【００１８】
１  フレ−ム体
４、５  前方フレ−ム
４ａ、４ｂ、５ａ、５ｂ、８ｃ  係止孔
６  上部フレ−ム
７  底部フレ−ム
９  ストッパ部材９
１９  後方支柱部
ａ  当り部
【図１】
2005052316.tif 000003
【図２】
2005052316.tif 000004
【図３】
2005052316.tif 000005
【図４】
2005052316.tif 000006
【図５】
2005052316.tif 000007
【図６】
2005052316.tif 000008